【手続補正書】
【提出日】令和3年7月6日(2021.7.6)
【手続補正１】
【補正対象書類名】特許請求の範囲
【補正対象項目名】全文
【補正方法】変更
【補正の内容】
【特許請求の範囲】
【請求項１】
基地局（ＢＳ）によるワイヤレス通信のための方法であって、
後続のＰＵＣＣＨ送信のために使用されるべき物理アップリンク制御チャネル（ＰＵＣＣＨ）フォーマットを識別することと、
前記ＰＵＣＣＨフォーマットに少なくとも部分的に基づいてＰＵＣＣＨリソースマッピングルールを識別することと、
前記ＰＵＣＣＨリソースマッピングルールに少なくとも部分的に基づいて、前記後続のＰＵＣＣＨ送信のために使用されるべきアップリンク送信リソースを決定すること、ここにおいて、前記アップリンク送信リソースは、１つまたは複数のリソースブロックを備える、と、
前記アップリンク送信リソースを表す信号を送信することと
を備え、前記ＰＵＣＣＨマッピングルールは、現在またはすぐに来るＴＴＩまたはスロットに対する前記後続のＰＵＣＣＨ送信のための暗黙的リソースマッピングルールとして識別され、前記ＰＵＣＣＨ送信は、アグリゲートされたスロットまたはＴＴＩ上で送信される、方法。
【請求項２】
前記後続のＰＵＣＣＨ送信のために使用されるべき前記ＰＵＣＣＨフォーマットを識別することは、
前記後続のＰＵＣＣＨ送信に含まれるべきアップリンク制御データの量を識別することを備え、  前記ＰＵＣＣＨフォーマットに少なくとも部分的に基づいて前記ＰＵＣＣＨリソースマッピングルールを識別することは、
前記後続のＰＵＣＣＨ送信に含まれるべきアップリンク制御データの前記量がしきい値量以下である場合、暗黙的リソースマッピングルールを識別することを備える、または前記後続のＰＵＣＣＨ送信に含まれるべきアップリンク制御データの前記量がしきい値量を上回る場合、明示的リソースマッピングルールを識別することを備える、
請求項１に記載の方法。
【請求項３】
前記後続のＰＵＣＣＨ送信に含まれるべきアップリンク制御データの前記量が前記しきい値量以下である場合、前記暗黙的リソースマッピングルールを識別することは、
前記しきい値量以下であるアップリンク制御データの前記量に少なくとも部分的に基づいてアップリンク送信リソースの第１のセットを識別すること、ここにおいて、前記第１のセットは、前記しきい値量以下であるアップリンク制御データの前記量に適合する、ＰＵＣＣＨフォーマットを有するアップリンク送信リソースを備える、と、
前記第１のセット中に含まれるアップリンク送信リソースの数を識別することと、
前記第１のセット中に含まれるアップリンク送信リソースの前記数がアップリンク送信リソースのしきい値数を上回る場合、前記暗黙的リソースマッピングルールを識別することと
を備え、アップリンク送信リソースの前記しきい値数は、ダウンリンク制御情報（ＤＣＩ）フィールド中で一意に識別され得るアップリンク送信リソースの最大数を備える、
請求項２に記載の方法。
【請求項４】
前記後続のＰＵＣＣＨ送信のために使用されるべき前記ＰＵＣＣＨフォーマットを識別することは、
前記ＰＵＣＣＨフォーマットがショートＰＵＣＣＨフォーマットであるかロングＰＵＣＣＨフォーマットであるかを決定することを備える、または
前記後続のＰＵＣＣＨ送信のために使用されるべき前記アップリンク送信リソースは、開始シンボル、アップリンク送信時間間隔内のシンボル範囲、１つまたは複数のリソースブロック、サイクリックシフト、または直交カバーコードのうちの１つまたは複数を備える、
請求項１に記載の方法。
【請求項５】
前記ＰＵＣＣＨリソースマッピングルールに少なくとも部分的に基づいて送信時間間隔（ＴＴＩ）マッピングルールを識別することと、
前記ＴＴＩマッピングルールに少なくとも部分的に基づいて、前記アップリンク送信リソースが前記後続のＰＵＣＣＨ送信のために使用されるべきＴＴＩを決定することと、
前記ＴＴＩを表す信号を送信することと
をさらに備える、請求項１に記載の方法。
【請求項６】
前記ＰＵＣＣＨリソースマッピングルールに少なくとも部分的に基づいて前記ＴＴＩマッピングルールを識別することは、
前記ＰＵＣＣＨリソースマッピングルールが暗黙的ＰＵＣＣＨリソースマッピングルールである場合、暗黙的ＴＴＩマッピングルールを識別することを備え、
前記暗黙的ＴＴＩマッピングルールは、現在のＰＵＣＣＨ送信のために使用される現在のＴＴＩに対するオフセットを適用することを備える、
請求項１に記載の方法。
【請求項７】
前記ＰＵＣＣＨリソースマッピングルールに少なくとも部分的に基づいて前記ＴＴＩマッピングルールを識別することは、
前記ＰＵＣＣＨリソースマッピングルールが明示的ＰＵＣＣＨリソースマッピングルールである場合、暗黙的アップリンク送信時間間隔マッピングルールを識別することを備える、または
前記ＰＵＣＣＨリソースマッピングルールが明示的ＰＵＣＣＨリソースマッピングルールである場合、暗黙的ＴＴＩマッピングルールを識別することを備える、
請求項１に記載の方法。
【請求項８】
ユーザ機器（ＵＥ）によるワイヤレス通信のための方法であって、
後続のＰＵＣＣＨ送信のために使用されるべき物理アップリンク制御チャネル（ＰＵＣＣＨ）フォーマットを識別することと
前記ＰＵＣＣＨフォーマットに少なくとも部分的に基づいてＰＵＣＣＨリソースマッピングルールを識別することと
前記後続のＰＵＣＣＨ送信のために使用されるべきアップリンク送信リソースを表す信号を受信すること、ここにおいて、前記アップリンク送信リソースは、１つまたは複数のリソースブロックを備える、と、
前記ＰＵＣＣＨリソースマッピングルールに少なくとも部分的に基づいて、前記後続のＰＵＣＣＨ送信のために使用されるべき前記アップリンク送信リソースを決定することと、
前記アップリンク送信リソースを介して前記後続のＰＵＣＣＨ送信を送信することと
備え、前記ＰＵＣＣＨマッピングルールは、現在またはすぐに来るＴＴＩまたはスロットに対する前記後続のＰＵＣＣＨ送信のための暗黙的リソースマッピングルールとして識別され、前記ＰＵＣＣＨ送信は、アグリゲートされたスロットまたはＴＴＩ上で送信される、方法。
【請求項９】
前記後続のＰＵＣＣＨ送信のために使用されるべき前記ＰＵＣＣＨフォーマットを識別することは、
前記後続のＰＵＣＣＨ送信に含まれるべきアップリンク制御データの量を識別することを備え、
前記ＰＵＣＣＨフォーマットに少なくとも部分的に基づいて前記ＰＵＣＣＨリソースマッピングルールを識別することは、
前記後続のＰＵＣＣＨ送信に含まれるべきアップリンク制御データの前記量がしきい値量を上回る場合、暗黙的リソースマッピングルールを識別することを備える、
請求項８に記載の方法。
【請求項１０】
前記後続のＰＵＣＣＨ送信に含まれるべきアップリンク制御データの前記量が前記しきい値量以下である場合、前記暗黙的リソースマッピングルールを識別することは、
前記しきい値量以下であるアップリンク制御データの前記量に少なくとも部分的に基づいてアップリンク送信リソースの第１のセットを識別すること、ここにおいて、前記第１のセットは、前記しきい値量以下であるアップリンク制御データの前記量に適合する、ＰＵＣＣＨフォーマットを有するアップリンク送信リソースを備える、と、
前記第１のセット中に含まれるアップリンク送信リソースの数を識別することと、
前記第１のセット中に含まれるアップリンク送信リソースの前記数がアップリンク送信リソースのしきい値数を上回る場合、前記暗黙的リソースマッピングルールを識別することと
を備え、アップリンク送信リソースの前記しきい値数は、ダウンリンク制御情報（ＤＣＩ）フィールド中で一意に識別され得るアップリンク送信リソースの最大数を備える、
請求項９に記載の方法。
【請求項１１】
前記後続のＰＵＣＣＨ送信のために使用されるべき前記ＰＵＣＣＨフォーマットを識別することは、
前記ＰＵＣＣＨフォーマットがショートＰＵＣＣＨフォーマットであるかロングＰＵＣＣＨフォーマットであるかを決定することを備える、または
前記後続のＰＵＣＣＨ送信のために使用されるべき前記アップリンク送信リソースは、開始シンボル、アップリンク送信時間間隔内のシンボル範囲、１つまたは複数のリソースブロック、サイクリックシフト、または直交カバーコードのうちの１つまたは複数を備える、
請求項８に記載の方法。
【請求項１２】
前記ＰＵＣＣＨリソースマッピングルールに少なくとも部分的に基づいて送信時間間隔（ＴＴＩ）マッピングルールを識別することと、
前記ＴＴＩマッピングルールに少なくとも部分的に基づいて、前記アップリンク送信リソースが前記後続のＰＵＣＣＨ送信のために使用されるべきＴＴＩを決定することと、
前記ＴＴＩ内で前記後続のＰＵＣＣＨ送信を送信することと
をさらに備える、請求項８に記載の方法。
【請求項１３】
前記ＰＵＣＣＨリソースマッピングルールに少なくとも部分的に基づいて前記ＴＴＩマッピングルールを識別することは、
前記ＰＵＣＣＨリソースマッピングルールが暗黙的ＰＵＣＣＨリソースマッピングルールである場合、暗黙的ＴＴＩマッピングルールを識別することを備え、
前記暗黙的ＴＴＩマッピングルールは、現在のＰＵＣＣＨ送信のために使用される現在のＴＴＩに対するオフセットを適用することを備える、または
前記ＰＵＣＣＨリソースマッピングルールに少なくとも部分的に基づいて前記ＴＴＩマッピングルールを識別することは、
前記ＰＵＣＣＨリソースマッピングルールが明示的ＰＵＣＣＨリソースマッピングルールである場合、暗黙的ＴＴＩマッピングルールを識別することを備える、または
前記ＰＵＣＣＨリソースマッピングルールに少なくとも部分的に基づいて前記ＴＴＩマッピングルールを識別することは、
前記ＰＵＣＣＨリソースマッピングルールが暗黙的ＰＵＣＣＨリソースマッピングルールである場合、明示的ＴＴＩマッピングルールを識別することを備える、
請求項１２に記載の方法。
【請求項１４】
基地局（ＢＳ）によるワイヤレス通信のための装置であって、
後続のＰＵＣＣＨ送信のために使用されるべき物理アップリンク制御チャネル（ＰＵＣＣＨ）フォーマットを識別するための手段と、
前記ＰＵＣＣＨフォーマットに少なくとも部分的に基づいてＰＵＣＣＨリソースマッピングルールを識別するための手段と、
前記ＰＵＣＣＨリソースマッピングルールに少なくとも部分的に基づいて、前記後続のＰＵＣＣＨ送信のために使用されるべきアップリンク送信リソースを決定するための手段、ここにおいて、前記アップリンク送信リソースは、１つまたは複数のリソースブロックを備える、と、
前記アップリンク送信リソースを表す信号を送信するための手段と
を備え、前記ＰＵＣＣＨマッピングルールは、現在またはすぐに来るＴＴＩまたはスロットに対する前記後続のＰＵＣＣＨ送信のための暗黙的リソースマッピングルールとして識別され、前記ＰＵＣＣＨ送信は、アグリゲートされたスロットまたはＴＴＩ上で送信されように構成される、装置。
【請求項１５】
ユーザ機器（ＵＥ）によるワイヤレス通信のための装置であって、
後続のＰＵＣＣＨ送信のために使用されるべき物理アップリンク制御チャネル（ＰＵＣＣＨ）フォーマットを識別するための手段と、
前記ＰＵＣＣＨフォーマットに少なくとも部分的に基づいてＰＵＣＣＨリソースマッピングルールを識別するための手段と、
前記後続のＰＵＣＣＨ送信のために使用されるべきアップリンク送信リソースを表す信号を受信するための手段と、
前記ＰＵＣＣＨリソースマッピングルールに少なくとも部分的に基づいて、前記後続のＰＵＣＣＨ送信のために使用されるべき前記アップリンク送信リソースを決定するための手段、ここにおいて、前記アップリンク送信リソースは、１つまたは複数のリソースブロックを備える、と、
前記アップリンク送信リソースを介して前記後続のＰＵＣＣＨ送信を送信するための手段と
を備え、前記ＰＵＣＣＨマッピングルールは、現在またはすぐに来るＴＴＩまたはスロットに対する前記後続のＰＵＣＣＨ送信のための暗黙的リソースマッピングルールとして識別され、前記ＰＵＣＣＨ送信は、アグリゲートされたスロットまたはＴＴＩ上で送信される、装置。
【手続補正２】
【補正対象書類名】明細書
【補正対象項目名】０２２４
【補正方法】変更
【補正の内容】
【０２２４】
[0234]本明細書での説明は、当業者が本開示を製造または使用することを可能にするために提供される。本開示に対する様々な修正は、当業者にとって容易に明らかとなり、本明細書に定義された包括的な原理は、本開示の範囲から逸脱することなしに他の変形に適用され得る。したがって、本開示は、本明細書で説明された例および設計に限定されるべきではなく、本明細書で開示された原理および新規の特徴に合致する最も広い範囲を与えられることとなる。
以下に、本願出願の当初の特許請求の範囲に記載された発明を付記する。
［Ｃ１］
ワイヤレス通信のための方法であって、
後続のＰＵＣＣＨ送信のために使用されるべき物理アップリンク制御チャネル（ＰＵＣＣＨ）フォーマットを識別することと、
前記ＰＵＣＣＨフォーマットに少なくとも部分的に基づいてＰＵＣＣＨリソースマッピングルールを識別することと、
前記ＰＵＣＣＨリソースマッピングルールに少なくとも部分的に基づいて、前記後続のＰＵＣＣＨ送信のために使用されるべきアップリンク送信リソースを決定することと、
前記アップリンク送信リソースを表す信号を送信することと
を備える、方法。
［Ｃ２］
前記アップリンク送信リソースを表す前記信号中に、前記後続のＰＵＣＣＨ送信のために使用されるべき前記アップリンク送信リソースの明示的インジケーションを含めることをさらに備える、
Ｃ１に記載の方法。
［Ｃ３］
前記後続のＰＵＣＣＨ送信のために使用されるべき前記アップリンク送信リソースの前記明示的インジケーションは、前記アップリンク送信リソースを表すインデックスを備える、
Ｃ２に記載の方法。
［Ｃ４］
前記後続のＰＵＣＣＨ送信のために使用されるべき前記ＰＵＣＣＨフォーマットを識別することは、
前記後続のＰＵＣＣＨ送信に含まれるべきアップリンク制御データの量を識別することを備える、
Ｃ１に記載の方法。
［Ｃ５］
前記ＰＵＣＣＨフォーマットに少なくとも部分的に基づいて前記ＰＵＣＣＨリソースマッピングルールを識別することは、
前記後続のＰＵＣＣＨ送信に含まれるべきアップリンク制御データの前記量がしきい値量以下である場合、暗黙的リソースマッピングルールを識別することを備える、
Ｃ４に記載の方法。
［Ｃ６］
前記後続のＰＵＣＣＨ送信に含まれるべきアップリンク制御データの前記量が前記しきい値量以下である場合、前記暗黙的リソースマッピングルールを識別することは、
前記しきい値量以下であるアップリンク制御データの前記量に少なくとも部分的に基づいてアップリンク送信リソースの第１のセットを識別すること、ここにおいて、前記第１のセットは、前記しきい値量以下であるアップリンク制御データの前記量に適合する、ＰＵＣＣＨフォーマットを有するアップリンク送信リソースを備える、と、
前記第１のセット中に含まれるアップリンク送信リソースの数を識別することと、
前記第１のセット中に含まれるアップリンク送信リソースの前記数がアップリンク送信リソースのしきい値数を上回る場合、前記暗黙的リソースマッピングルールを識別することと
を備える、Ｃ５に記載の方法。
［Ｃ７］
アップリンク送信リソースの前記しきい値数は、ダウンリンク制御情報（ＤＣＩ）フィールド中で一意に識別され得るアップリンク送信リソースの最大数を備える、
Ｃ６に記載の方法。
［Ｃ８］
前記ＰＵＣＣＨフォーマットに少なくとも部分的に基づいて前記ＰＵＣＣＨリソースマッピングルールを識別することは、
前記後続のＰＵＣＣＨ送信に含まれるべきアップリンク制御データの前記量がしきい値量を上回る場合、明示的リソースマッピングルールを識別することを備える、
Ｃ４に記載の方法。
［Ｃ９］
前記後続のＰＵＣＣＨ送信に含まれるべきアップリンク制御データの前記量が前記しきい値量を上回る場合、前記明示的リソースマッピングルールを識別することは、
前記しきい値量を上回る前記アップリンク制御データの量に少なくとも部分的に基づいてアップリンク送信リソースの第２のセットを識別すること、ここにおいて、前記第２のセットは、前記しきい値量を上回る前記アップリンク制御データの量に適合する、ＰＵＣＣＨフォーマットを有するアップリンク送信リソースを備える、と、
前記第２のセット中に含まれるアップリンク送信リソースの数を識別することと、
前記第２のセット中に含まれるアップリンク送信リソースの前記数がアップリンク送信リソースのしきい値数以下である場合、前記明示的リソースマッピングルールを識別することと
を備える、Ｃ８に記載の方法。
［Ｃ１０］
アップリンク送信リソースの前記しきい値数は、ダウンリンク制御情報（ＤＣＩ）フィールド中で一意に識別され得るアップリンク送信リソースの最大数を備える、
Ｃ９に記載の方法。
［Ｃ１１］
前記後続のＰＵＣＣＨ送信のために使用されるべき前記ＰＵＣＣＨフォーマットを識別することは、
前記ＰＵＣＣＨフォーマットがショートＰＵＣＣＨフォーマットであるかロングＰＵＣＣＨフォーマットであるかを決定することを備える、
Ｃ１に記載の方法。
［Ｃ１２］
前記後続のＰＵＣＣＨ送信のために使用されるべき前記アップリンク送信リソースは、開始シンボル、アップリンク送信時間間隔内のシンボル範囲、１つまたは複数のリソースブロック、サイクリックシフト、または直交カバーコードのうちの１つまたは複数を備える、
Ｃ１に記載の方法。
［Ｃ１３］
前記ＰＵＣＣＨリソースマッピングルールに少なくとも部分的に基づいて送信時間間隔（ＴＴＩ）マッピングルールを識別することと、
前記ＴＴＩマッピングルールに少なくとも部分的に基づいて、前記アップリンク送信リソースが前記後続のＰＵＣＣＨ送信のために使用されるべきＴＴＩを決定することと、
前記ＴＴＩを表す信号を送信することと
をさらに備える、Ｃ１に記載の方法。
［Ｃ１４］
前記ＴＴＩを表す前記信号中に前記ＴＴＩの明示的インジケーションを含めることをさらに備える、
Ｃ１３に記載の方法。
［Ｃ１５］
前記ＴＴＩの前記明示的インジケーションは、現在のＰＵＣＣＨ送信のために使用される現在のＴＴＩに対するオフセットを表すインデックスを備える、
Ｃ１４に記載の方法。
［Ｃ１６］
前記ＰＵＣＣＨリソースマッピングルールに少なくとも部分的に基づいて前記ＴＴＩマッピングルールを識別することは、
前記ＰＵＣＣＨリソースマッピングルールが暗黙的ＰＵＣＣＨリソースマッピングルールである場合、暗黙的ＴＴＩマッピングルールを識別することを備える、
Ｃ１３に記載の方法。
［Ｃ１７］
前記暗黙的ＴＴＩマッピングルールは、現在のＰＵＣＣＨ送信のために使用される現在のＴＴＩに対するオフセットを適用することを備える、
Ｃ１６に記載の方法。
［Ｃ１８］
前記ＰＵＣＣＨリソースマッピングルールに少なくとも部分的に基づいて前記ＴＴＩマッピングルールを識別することは、
前記ＰＵＣＣＨリソースマッピングルールが明示的ＰＵＣＣＨリソースマッピングルールである場合、明示的ＴＴＩマッピングルールを識別することを備える、
Ｃ１３に記載の方法。
［Ｃ１９］
前記ＰＵＣＣＨリソースマッピングルールに少なくとも部分的に基づいて前記ＴＴＩマッピングルールを識別することは、
前記ＰＵＣＣＨリソースマッピングルールが明示的ＰＵＣＣＨリソースマッピングルールである場合、暗黙的アップリンク送信時間間隔マッピングルールを識別することを備える、
Ｃ１３に記載の方法。
［Ｃ２０］
前記ＰＵＣＣＨリソースマッピングルールに少なくとも部分的に基づいて前記ＴＴＩマッピングルールを識別することは、
前記ＰＵＣＣＨリソースマッピングルールが明示的ＰＵＣＣＨリソースマッピングルールである場合、暗黙的ＴＴＩマッピングルールを識別することを備える、
Ｃ１３に記載の方法。
［Ｃ２１］
前記アップリンク送信リソースは、１つより多くの送信時間間隔（ＴＴＩ）内のリソースを備える、
Ｃ１に記載の方法。
［Ｃ２２］
前記アップリンク送信リソースは、１つの送信時間間隔（ＴＴＩ）内の１つより多くのリソースのセットを備える、
Ｃ１に記載の方法。
［Ｃ２３］
ワイヤレス通信のための方法であって、
後続のＰＵＣＣＨ送信のために使用されるべき物理アップリンク制御チャネル（ＰＵＣＣＨ）フォーマットを識別することと
前記ＰＵＣＣＨフォーマットに少なくとも部分的に基づいてＰＵＣＣＨリソースマッピングルールを識別することと
前記後続のＰＵＣＣＨ送信のために使用されるべきアップリンク送信リソースを表す信号を受信することと、
前記ＰＵＣＣＨリソースマッピングルールに少なくとも部分的に基づいて、前記後続のＰＵＣＣＨ送信のために使用されるべき前記アップリンク送信リソースを決定することと、
前記アップリンク送信リソースを介して前記後続のＰＵＣＣＨ送信を送信することと
備える、方法。
［Ｃ２４］
前記後続のＰＵＣＣＨ送信のために使用されるべき前記アップリンク送信リソースの明示的インジケーションを前記アップリンク送信リソースを表す前記信号内で受信することをさらに備える、
Ｃ２３に記載の方法。
［Ｃ２５］
前記後続のＰＵＣＣＨ送信のために使用されるべき前記アップリンク送信リソースの前記明示的インジケーションは、前記アップリンク送信リソースを表すインデックスを備える、
Ｃ２４に記載の方法。
［Ｃ２６］
前記後続のＰＵＣＣＨ送信のために使用されるべき前記ＰＵＣＣＨフォーマットを識別することは、
前記後続のＰＵＣＣＨ送信に含まれるべきアップリンク制御データの量を識別することを備える、
Ｃ２３に記載の方法。
［Ｃ２７］
前記ＰＵＣＣＨフォーマットに少なくとも部分的に基づいて前記ＰＵＣＣＨリソースマッピングルールを識別することは、
前記後続のＰＵＣＣＨ送信に含まれるべきアップリンク制御データの前記量がしきい値量を上回る場合、暗黙的リソースマッピングルールを識別することを備える、
Ｃ２６に記載の方法。
［Ｃ２８］
前記後続のＰＵＣＣＨ送信に含まれるべきアップリンク制御データの前記量が前記しきい値量以下である場合、前記暗黙的リソースマッピングルールを識別することは、
前記しきい値量以下であるアップリンク制御データの前記量に少なくとも部分的に基づいてアップリンク送信リソースの第１のセットを識別すること、ここにおいて、前記第１のセットは、前記しきい値量以下であるアップリンク制御データの前記量に適合する、ＰＵＣＣＨフォーマットを有するアップリンク送信リソースを備える、と、
前記第１のセット中に含まれるアップリンク送信リソースの数を識別することと、
前記第１のセット中に含まれるアップリンク送信リソースの前記数がアップリンク送信リソースのしきい値数を上回る場合、前記暗黙的リソースマッピングルールを識別することと
を備える、Ｃ２７に記載の方法。
［Ｃ２９］
アップリンク送信リソースの前記しきい値数は、ダウンリンク制御情報（ＤＣＩ）フィールド中で一意に識別され得るアップリンク送信リソースの最大数を備える、
Ｃ２８に記載の方法。
［Ｃ３０］
前記ＰＵＣＣＨフォーマットに少なくとも部分的に基づいて前記ＰＵＣＣＨリソースマッピングルールを識別することは、
前記後続のＰＵＣＣＨ送信に含まれるべきアップリンク制御データの前記量がしきい値量を上回る場合、明示的リソースマッピングルールを識別することを備える、
Ｃ２６に記載の方法。
［Ｃ３１］
前記後続のＰＵＣＣＨ送信に含まれるべきアップリンク制御データの前記量が前記しきい値量を上回る場合、前記明示的リソースマッピングルールを識別することは、
前記しきい値量を上回る前記アップリンク制御データの量に少なくとも部分的に基づいてアップリンク送信リソースの第２のセットを識別すること、ここにおいて、前記第２のセットは、前記しきい値量を上回る前記アップリンク制御データの量に適合する、ＰＵＣＣＨフォーマットを有するアップリンク送信リソースを備える、と、  
前記第２のセット中に含まれるアップリンク送信リソースの数を識別することと、
前記第２のセット中に含まれるアップリンク送信リソースの前記数がアップリンク送信リソースのしきい値数以下である場合、前記明示的リソースマッピングルールを識別することと
を備える、Ｃ３０に記載の方法。
［Ｃ３２］
アップリンク送信リソースの前記しきい値数は、ダウンリンク制御情報（ＤＣＩ）フィールド中で一意に識別され得るアップリンク送信リソースの最大数を備える、
Ｃ３１に記載の方法。
［Ｃ３３］
前記後続のＰＵＣＣＨ送信のために使用されるべき前記ＰＵＣＣＨフォーマットを識別することは、
前記ＰＵＣＣＨフォーマットがショートＰＵＣＣＨフォーマットであるかロングＰＵＣＣＨフォーマットであるかを決定することを備える、
Ｃ２３に記載の方法。
［Ｃ３４］
前記後続のＰＵＣＣＨ送信のために使用されるべき前記アップリンク送信リソースは、開始シンボル、アップリンク送信時間間隔内のシンボル範囲、１つまたは複数のリソースブロック、サイクリックシフト、または直交カバーコードのうちの１つまたは複数を備える、
Ｃ２３に記載の方法。
［Ｃ３５］
前記ＰＵＣＣＨリソースマッピングルールに少なくとも部分的に基づいて送信時間間隔（ＴＴＩ）マッピングルールを識別することと、
前記ＴＴＩマッピングルールに少なくとも部分的に基づいて、前記アップリンク送信リソースが前記後続のＰＵＣＣＨ送信のために使用されるべきＴＴＩを決定することと、
前記ＴＴＩ内で前記後続のＰＵＣＣＨ送信を送信することと
をさらに備える、Ｃ２３に記載の方法。
［Ｃ３６］
前記ＴＴＩの明示的インジケーションを受信することをさらに備える、
Ｃ３５に記載の方法。
［Ｃ３７］
前記ＴＴＩの前記明示的インジケーションは、現在のＰＵＣＣＨ送信のために使用される現在のＴＴＩに対するオフセットを表すインデックスを備える、
Ｃ３６に記載の方法。
［Ｃ３８］
前記ＰＵＣＣＨリソースマッピングルールに少なくとも部分的に基づいて前記ＴＴＩマッピングルールを識別することは、
前記ＰＵＣＣＨリソースマッピングルールが暗黙的ＰＵＣＣＨリソースマッピングルールである場合、暗黙的ＴＴＩマッピングルールを識別することを備える、
Ｃ３５に記載の方法。
［Ｃ３９］
前記暗黙的ＴＴＩマッピングルールは、現在のＰＵＣＣＨ送信のために使用される現在のＴＴＩに対するオフセットを適用することを備える、
Ｃ３８に記載の方法。
［Ｃ４０］
前記ＰＵＣＣＨリソースマッピングルールに少なくとも部分的に基づいて前記ＴＴＩマッピングルールを識別することは、
前記ＰＵＣＣＨリソースマッピングルールが明示的ＰＵＣＣＨリソースマッピングルールである場合、明示的ＴＴＩマッピングルールを識別することを備える、
Ｃ３５に記載の方法。
［Ｃ４１］
前記ＰＵＣＣＨリソースマッピングルールに少なくとも部分的に基づいて前記ＴＴＩマッピングルールを識別することは、
前記ＰＵＣＣＨリソースマッピングルールが明示的ＰＵＣＣＨリソースマッピングルールである場合、暗黙的ＴＴＩマッピングルールを識別することを備える、
Ｃ３５に記載の方法。
［Ｃ４２］
前記ＰＵＣＣＨリソースマッピングルールに少なくとも部分的に基づいて前記ＴＴＩマッピングルールを識別することは、
前記ＰＵＣＣＨリソースマッピングルールが暗黙的ＰＵＣＣＨリソースマッピングルールである場合、明示的ＴＴＩマッピングルールを識別することを備える、
Ｃ３５に記載の方法。
［Ｃ４３］
前記アップリンク送信リソースは、１つより多くのＴＴＩ内のリソースを備える、
Ｃ２３に記載の方法。
［Ｃ４４］
前記アップリンク送信リソースは、１つのＴＴＩ内の１つより多くのリソースのセットを備える、
Ｃ２３に記載の方法。
［Ｃ４５］
ワイヤレス通信のための装置であって、
後続のＰＵＣＣＨ送信のために使用されるべき物理アップリンク制御チャネル（ＰＵＣＣＨ）フォーマットを識別するための手段と、
前記ＰＵＣＣＨフォーマットに少なくとも部分的に基づいてＰＵＣＣＨリソースマッピングルールを識別するための手段と、
前記ＰＵＣＣＨリソースマッピングルールに少なくとも部分的に基づいて、前記後続のＰＵＣＣＨ送信のために使用されるべきアップリンク送信リソースを決定するための手段と、
前記アップリンク送信リソースを表す信号を送信するための手段と
を備える、装置。
［Ｃ４６］
ワイヤレス通信のための装置であって、
後続のＰＵＣＣＨ送信のために使用されるべき物理アップリンク制御チャネル（ＰＵＣＣＨ）フォーマットを識別するための手段と、
前記ＰＵＣＣＨフォーマットに少なくとも部分的に基づいてＰＵＣＣＨリソースマッピングルールを識別するための手段と、
前記後続のＰＵＣＣＨ送信のために使用されるべきアップリンク送信リソースを表す信号を受信するための手段と、
前記ＰＵＣＣＨリソースマッピングルールに少なくとも部分的に基づいて、前記後続のＰＵＣＣＨ送信のために使用されるべき前記アップリンク送信リソースを決定するための手段と、
前記アップリンク送信リソースを介して前記後続のＰＵＣＣＨ送信を送信するための手段と
を備える、装置。
［Ｃ４７］
ワイヤレス通信のための装置であって、
プロセッサと、
前記プロセッサと電子的に通信するメモリと、
前記メモリ中に記憶された命令と
を備え、前記命令は、前記プロセッサによって実行されると、前記装置に、
後続のＰＵＣＣＨ送信のために使用されるべき物理アップリンク制御チャネル（ＰＵＣＣＨ）フォーマットを識別することと、
前記ＰＵＣＣＨフォーマットに少なくとも部分的に基づいてＰＵＣＣＨリソースマッピングルールを識別することと、
前記ＰＵＣＣＨリソースマッピングルールに少なくとも部分的に基づいて、前記後続のＰＵＣＣＨ送信のために使用されるべきアップリンク送信リソースを決定することと、
前記アップリンク送信リソースを表す信号を送信することと
を行わせるように動作可能である、装置。
［Ｃ４８］
ワイヤレス通信のための装置であって、
プロセッサと、
前記プロセッサと電子的に通信するメモリと、
前記メモリ中に記憶された命令と
を備え、前記命令は、前記プロセッサによって実行されると、前記装置に、
後続のＰＵＣＣＨ送信のために使用されるべき物理アップリンク制御チャネル（ＰＵＣＣＨ）フォーマットを識別することと、
前記ＰＵＣＣＨフォーマットに少なくとも部分的に基づいてＰＵＣＣＨリソースマッピングルールを識別することと、
前記後続のＰＵＣＣＨ送信のために使用されるべきアップリンク送信リソースを表す信号を受信することと、
前記ＰＵＣＣＨリソースマッピングルールに少なくとも部分的に基づいて、前記後続のＰＵＣＣＨ送信のために使用されるべき前記アップリンク送信リソースを決定することと、
前記アップリンク送信リソースを介して前記後続のＰＵＣＣＨ送信を送信することと
を行わせるように動作可能である、装置。
［Ｃ４９］
ワイヤレス通信のためのコードを記憶する非一時的コンピュータ可読媒体であって、前記コードは、プロセッサによって、
後続のＰＵＣＣＨ送信のために使用されるべき物理アップリンク制御チャネル（ＰＵＣＣＨ）フォーマットを識別することと、
前記ＰＵＣＣＨフォーマットに少なくとも部分的に基づいてＰＵＣＣＨリソースマッピングルールを識別することと、
前記ＰＵＣＣＨリソースマッピングルールに少なくとも部分的に基づいて、前記後続のＰＵＣＣＨ送信のために使用されるべきアップリンク送信リソースを決定することと、
前記アップリンク送信リソースを表す信号を送信することと
を行うように実行可能である命令を備える、非一時的コンピュータ可読媒体。
［Ｃ５０］
ワイヤレス通信のためのコードを記憶する非一時的コンピュータ可読媒体であって、前記コードは、プロセッサによって、
後続のＰＵＣＣＨ送信のために使用されるべき物理アップリンク制御チャネル（ＰＵＣＣＨ）フォーマットを識別することと、
前記ＰＵＣＣＨフォーマットに少なくとも部分的に基づいてＰＵＣＣＨリソースマッピングルールを識別することと、
前記後続のＰＵＣＣＨ送信のために使用されるべきアップリンク送信リソースを表す信号を受信することと、
前記ＰＵＣＣＨリソースマッピングルールに少なくとも部分的に基づいて、前記後続のＰＵＣＣＨ送信のために使用されるべき前記アップリンク送信リソースを決定することと、
前記アップリンク送信リソースを介して前記後続のＰＵＣＣＨ送信を送信することと
を行うように実行可能である命令を備える、非一時的コンピュータ可読媒体。